(57)【要約】【課題】  本発明は、作業性良く施工することが可能であり、下地材や外壁パネル取付用金具５との干渉を抑えることができる外壁目地の２次防水部材１を提供する。【解決手段】  外壁パネル３間の縦目地の屋内側に収納されて、該縦目地から屋内側に水が浸入することを抑止する外壁目地の２次防水部材１であって、柔軟性を有し、長尺の帯状に形成された防水性を有するシート体１７と、その両側縁に沿ってそれぞれ形成されたシート体１７よりも硬質の一対の補強部材１８と、前記縦目地の屋内側に収納されたときに当該縦目地の目地幅より幅広に開口した屋内側に膨らむ円弧形状を有し、前記シート体１７の両側縁の前記補強部材１８と固定されることで当該シート体１７をその開口方向に弛んだ状態で位置させる前記シート体１７より硬質な弾性体より形成される複数の補強部材１８と、を備える。【選択図】図１
2011174322.tif 000002
【特許請求の範囲】
【請求項１】
外壁パネル間の縦目地の屋内側に収納されて、該縦目地から屋内側に水が浸入することを抑止する外壁目地の２次防水部材であって、
柔軟性を有し、長尺の帯状に形成された防水性を有するシート体と、
該シート体の両側縁に沿ってそれぞれ形成された前記シート体よりも硬質の一対の補強部材と、
所定間隔毎に配設され、前記縦目地の屋内側に収納されたときに当該縦目地の目地幅より幅広に開口した屋内側に膨らむ円弧形状を有し、前記シート体の両側縁の前記補強部材と固定されることで当該シート体をその開口方向に弛んだ状態で位置させる前記シート体より硬質な弾性体より形成される複数の支持部材と、を備えることを特徴とする外壁目地の２次防水部材。
【請求項２】
前記シート体は少なくとも可視光を透過可能であることを特徴とする請求項１に記載の外壁目地の２次防水部材。
【請求項３】
外壁パネル間の縦目地よりも幅広に弾性体により形成され、前記縦目地に圧入されて保持される１次防水部材と、
前記縦目地の屋内側に形成された前記縦目地の目地幅よりも幅広の２次防水部材と、を備える外壁目地の２重防水構造であって、
前記２次防水部材は、柔軟性を有し、長尺の帯状に形成された防水性を有するシート体と、
該シート体の両側縁に沿ってそれぞれ形成された前記シート体よりも硬質の一対の補強部材と、
所定間隔毎に配設され、前記縦目地の屋内側に収納されたときに当該縦目地の目地幅より幅広に開口した屋内側に膨らむ円弧形状を有し、前記シート体の両側縁の前記補強部材と固定されることで当該シート体をその開口方向に弛んだ状態で位置させる前記シート体より硬質な弾性体より形成される複数の支持部材と、を具備することを特徴とする外壁目地の２重防水構造。
【請求項４】
前記シート体は少なくとも可視光を透過可能であることを特徴とする請求項３に記載の外壁目地の２重防水構造。
【請求項５】
柔軟性を有し、長尺の帯状に形成された防水性を有するシート体と、該シート体の両側縁に沿ってそれぞれ形成された前記シート体よりも硬質の一対の補強部材と、所定間隔毎に配設されて、円弧形状に形成されており、前記シート体の両側縁の前記補強部材と固定されることで当該シート体をその開口方向に弛んだ状態で位置させる前記シート体より硬質な弾性体より形成される複数の支持部材と、を備える外壁パネル間の縦目地よりも幅広の２次防水部材を、前記支持部材の一端側から前記縦目地に挿入し、
その後、前記支持部材を前記縦目地への挿入方向に回転させて当該支持部材の他端まで挿入し、
次に、前記支持部材の他端を前記縦目地の屋内側に押し込むことで、当該支持部材を屋外側に開口させて、前記縦目地を屋内側から２次防水部材で覆うように配置し、
次に、前記縦目地よりも幅広に形成された弾性体からなる１次防水部材を、屋外側から前記縦目地の間に圧入することを特徴とする外壁目地の２重防水構造施工方法。
【発明の詳細な説明】
【技術分野】
【０００１】
本発明は、外壁パネル間の縦目地から屋内側に水が侵入することを抑止する外壁目地の２次防水部材、この外壁目地の２次防水部材を用いた外壁目地の２重防水構造、及びこの外壁目地の２重防水構造の施工方法に関する。
【背景技術】
【０００２】
従来より、複数の互いに隣接する外壁パネル間に形成される目地から建物内部に風雨などが侵入することを防ぎ、且つ、建物の外観を良好に保つために、乾式の外壁目地ガスケットが用いられる。外壁目地ガスケットは、例えばポリ塩化ビニル等の水密性及び弾性を有する材料で形成され、目地の幅よりもやや幅広の長手形状であって、屋外側から目地に圧入して固定するものである。
【０００３】
このような外壁目地ガスケットにおいては、防水性をさらに高めるために、例えば図１１（Ａ）に示すように、対向する垂直板を底板部に立設して嵌着溝を形成してなるベース目地材１０１と、該ベース目地材１０１の嵌着溝１０６に嵌入する凸条１０３を筒形中空状のシール部１０４に垂設すると共に、シール部１０４のシール面にシリコン系被覆層を形成し、かつ、シール部１０４の下端部を目地幅に合わせて肉厚に形成してなるトップ目地材１０２とからなる外壁目地ガスケット１００が提案されている（特許文献１参照）。
【０００４】
このように構成することで外壁目地ガスケット１００は、図１１（Ｂ）に示すように、シール部１０４の防水性による一次防水に加えて、ベース目地材１０１が外壁パネル１０５の裏面１０５ａに当接密着することによって、二次防水を行うことができ、より防水効果を高めることができる。
【先行技術文献】
【特許文献】
【０００５】
【特許文献１】特開２００３−７４１３０号公報
【発明の概要】
【発明が解決しようとする課題】
【０００６】
しかし、上述のような外壁目地ガスケット１００においては、ベース目地材１０１の幅が外壁目地の目地幅よりも広くなるので、ベース目地材１０１を外壁目地から屋内側に挿入することが困難であり、建物の屋内側からベース目地材１０１を取り付ける作業をする必要がある。したがって、外壁パネル１０５の屋内側に配置される下地材や外壁パネル取付用金具等が邪魔になって、ベース目地材１０１を取り付ける作業が困難となる場合も多かった。
【０００７】
また、ベース目地材１０１と外壁の下地材や外壁パネル取付用金具等とが狭い空間を取り合うことになるので、外壁パネル１０５の屋内側の空間の厚みによってはこのベース目地材１０１を設置することができない場合もあった。
【０００８】
そこで、本発明は、作業性良く施工することが可能であり、下地材や外壁パネル取付用金具との干渉を抑えることができる外壁目地の２次防水部材、この外壁目地の２次防水部材を用いる外壁目地の２重防水構造、及びその施工方法を提供することを目的とする。
【課題を解決するための手段】
【０００９】
請求項１に記載の外壁目地の２次防水部材は、外壁パネル間の縦目地の屋内側に収納されて、該縦目地から屋内側に水が浸入することを抑止する外壁目地の２次防水部材であって、柔軟性を有し、長尺の帯状に形成された防水性を有するシート体と、該シート体の両側縁に沿ってそれぞれ形成された前記シート体よりも硬質の一対の補強部材と、所定間隔毎に配設され、前記縦目地の屋内側に収納されたときに当該縦目地の目地幅より幅広に開口した屋内側に膨らむ円弧形状を有し、前記シート体の両側縁の前記補強部材と固定されることで当該シート体をその開口方向に弛んだ状態で位置させる前記シート体より硬質な弾性体より形成される複数の支持部材と、を備えることを特徴としている。
【００１０】
請求項２に記載の外壁目地の２次防水部材は、前記シート体は少なくとも可視光を透過可能であることを特徴としている。
【００１１】
なお、ここで「可視光を透過可能」とは、可視光を１００パーセント透過することができるものに限られず、シート体の裏側に設置された部材を視認することができる程度に透明または半透明であればよい。
【００１２】
請求項３に記載の外壁目地の２重防水構造は、外壁パネル間の縦目地よりも幅広に弾性体により形成され、前記縦目地に圧入されて保持される１次防水部材と、前記縦目地の屋内側に形成された前記縦目地の目地幅よりも幅広の２次防水部材と、を備える外壁目地の２重防水構造であって、前記２次防水部材は、柔軟性を有し、長尺の帯状に形成された防水性を有するシート体と、該シート体の両側縁に沿ってそれぞれ形成された前記シート体よりも硬質の一対の補強部材と、所定間隔毎に配設され、前記縦目地の屋内側に収納されたときに当該縦目地の目地幅より幅広に開口した屋内側に膨らむ円弧形状を有し、前記シート体の両側縁の前記補強部材と固定されることで当該シート体をその開口方向に弛んだ状態で位置させる前記シート体より硬質な弾性体より形成される複数の支持部材と、を具備することを特徴としている。
【００１３】
請求項４に記載の外壁目地の２重防水構造は、前記シート体は少なくとも可視光を透過可能であることを特徴としている。
【００１４】
請求項５に記載の外壁目地の２重防水構造施工方法は、柔軟性を有し、長尺の帯状に形成された防水性を有するシート体と、該シート体の両側縁に沿ってそれぞれ形成された前記シート体よりも硬質の一対の補強部材と、所定間隔毎に配設されて、円弧形状に形成されており、前記シート体の両側縁の前記補強部材と固定されることで当該シート体をその開口方向に弛んだ状態で位置させる前記シート体より硬質な弾性体より形成される複数の支持部材と、を備える外壁パネル間の縦目地よりも幅広の２次防水部材を、前記支持部材の一端側から前記縦目地に挿入し、その後、前記支持部材を前記縦目地への挿入方向に回転させて当該支持部材の他端まで挿入し、次に、前記支持部材の他端を前記縦目地の屋内側に押し込むことで、当該支持部材を屋外側に開口させて、前記縦目地を屋内側から２次防水部材で覆うように配置し、次に、前記縦目地よりも幅広に形成された弾性体からなる１次防水部材を、屋外側から前記縦目地の間に圧入することを特徴としている。
【発明の効果】
【００１５】
請求項１に記載の外壁目地の２次防水部材によると、防水性を有するシート体の両側縁に沿って形成された補強部材の一方が縦目地を形成する一方の外壁パネルの屋内面、他方が縦目地を形成する他方の外壁パネルの屋内面に夫々近接配置された状態で、当該シート体が縦目地を屋内側から覆うので、確実に縦目地からの水の侵入を防ぐことができる。また、本２次防水部材は、縦目地の屋外側より支持部材の一端側から挿入し、その後支持部材を縦目地への挿入方向に回転させて当該支持部材の他端まで挿入し、次に支持部材の他端を縦目地の屋内側に押し込むという簡便な作業にて、支持部材の弾性反発力により、当該支持部材を屋外側に開口させて縦目地を屋内側から覆うことができる。以上に基づき、本２次防水部材は、作業性良く施工することができる。
【００１６】
また、この２次防水部材では、下地材や外壁パネル取付用金具が設置される位置に、柔軟性を有すると共に、弛んだ状態で支持部材に支持されているシート体を設置して、これを柔軟に変形させること、並びに、当該位置に支持部材が配設されないことにより、下地材や外壁パネル取付用金具との干渉を抑えることができる。
【００１７】
請求項２に記載の外壁目地の２次防水部材によると、シート体が可視光を透過可能であるので、それらの屋内側に配置されている外壁パネル取付用金具を視認することができる。これにより、２次防水部材よりも後に取り付ける１次防水部材の外れ防止部材の取付け位置が外壁パネル取付用金具と重ならないように調整することができる。
【００１８】
請求項３に記載の外壁目地の２重防水構造によると、１次防水部材を縦目地に圧入して、更に２次防水部材が縦目地を屋内側から覆うので、さらに確実に縦目地からの水の侵入を防ぐことができる。また、本２重防水構造では、下地材や外壁パネル取付用金具が設置される位置に柔軟性を有すると共に、弛んだ状態で支持部材に支持されているシート体を設置して、これを柔軟に変形させること、並びに、当該位置に支持部材が配設されないことにより、２次防水部材と、下地材や外壁パネル取付用金具との干渉を抑えることができる。
【００１９】
請求項４に記載の外壁目地の２重防水構造によると、シート体が可視光を透過可能であるので、２次防水部材よりも後に取り付ける１次防水部材の外れ防止部材の取付け位置が外壁パネル取付用金具と重ならないように調整することができる。
【００２０】
請求項５に記載の外壁目地の２重防水構造施工方法によると、２次防水部材を縦目地の屋外側より支持部材の一端側から挿入し、その後、支持部材を縦目地への挿入方向に回転させて当該支持部材の他端まで挿入し、次に、支持部材の他端を縦目地の屋内側に押し込むことで、支持部材を屋外側に開口させて縦目地を屋内側から覆うように配置し、次に、縦目地よりも幅広に形成された弾性体からなる１次防水部材を屋外側から縦目地の間に圧入することができる。上記のように、２次防水部材を外壁目地から容易に挿入できるので、極めて作業性良く外壁目地の２重防水構造を施工することができる。
【図面の簡単な説明】
【００２１】
【図１】２重防水構造の全体構成を説明する外壁縦目地の水平断面図。
【図２】１次防水部材の外観構成を説明する一部省略斜視図。
【図３】２次防水部材の外観構成を説明する一部省略斜視図。
【図４】外壁パネル取付用金具を用いて、外壁パネルを軸組に固定する工程を説明する一部省略断面図。
【図５】外装パネルが軸組に固定された状態を示す一部省略断面図。
【図６】２次防水部材の支持部材の一端側を外壁縦目地へ挿入する工程を説明する一部省略断面図。
【図７】２次防水部材の支持部材の他端まで外壁縦目地に挿入する工程を説明する一部省略断面図。
【図８】２次防水部材の支持部材の他端を外壁縦目地に押し込む工程を説明する一部省略断面図。
【図９】２次防水部材が外壁縦目地に収納された状態を説明する一部省略断面図。
【図１０】２重防水構造の全体構成を説明する図であり、外壁パネル取付金具が設置されている位置における一部省略断面図。
【図１１】従来の縦目地防水に用いられる外壁目地ガスケットの一例を示す図。
【発明を実施するための形態】
【００２２】
以下、外壁目地の２次防水部材１、外壁目地の２重防水構造２、及び外壁目地の２重防水構造施工方法の最良の実施形態について、各図を参照しつつ説明する。外壁目地の２次防水部材１及び外壁目地の２重防水構造２が用いられる外壁は、図１及び図９に示すように、複数の外壁パネル３を建物の構造躯体を構成する軸組４に外壁パネル取付用金具５を用いて固定して形成される。外壁パネル３は、矩形平板状に形成された例えば樹脂系、セメント系、セラミック系、又は金属系のサイディング材である。この外壁パネル３の周縁の屋内側にはこの外壁パネル３を建物の梁や柱に固定するために断面Ｃ型の金属枠６が目地方向に開口して取り付けられている。
【００２３】
この外壁パネル３を軸組４に固定する外壁パネル取付用金具５は、軸組４に固定され、軸組４から屋外方向に突出する基部７と、基部７を軸として回転可能に固定されており、外壁パネル３の金属枠６を軸組４との間に挟持するパネル固定部８と、このパネル固定部８を回転動作させる操作部９とを備える。外壁パネル３を固定する際には、軸組４に外壁パネル３の金属枠６を押し当てて、外壁パネル取付用金具５の操作部９を操作してパネル固定部８を回転させ、パネル固定部８と軸組４とで外壁パネル３の金属枠６を挟持して固定する。このとき、操作部９は、外壁パネル３間の縦目地の奥に位置するように構成されている。したがって、屋外側から目地内に図外のドライバなどの工具を挿入しつつ操作することにより、外壁パネル３を屋外側から取り付けることができ、また、リフォームなどの際にも外壁パネル３を屋外側から取り外すことができる。
【００２４】
外壁目地の２重防水構造２は、このような外壁パネル３間の縦目地に配置されるものであって、外壁パネル３間の縦目地を通過して建物の屋内側に雨水等が侵入することを防止するものである。この外壁目地の２重防水構造２は、図１に示すように、外壁パネル３間の縦目地に圧入される１次防水部材１０と、縦目地の屋内側に配置される２次防水部材１とにより構成される。
【００２５】
１次防水部材１０は、図１及び図２に示すように、縦目地に水密的に圧入される本体１１と、この本体１１が縦目地から脱落することを防止する複数の外れ防止部材１２から成る。本体１１は、例えばポリ塩化ビニル等の水密性及び弾性を有する材料で形成されており、目地幅に対し圧入可能であることを条件に当該目地幅よりも幅広の長手形状に形成されている。この本体１１の内部は複数の空間が形成されており、縦目地にこの本体１１を圧入したときには、この本体１１が弾性変形して縦目地をシールすることができる。また、縦目地に圧入した際に屋内側になる部分には、先端が膨らんだ凸条１３が形成されている。外れ防止部材１２は、例えばポリ塩化ビニル等の弾性を有する材料により形成されており、本体１１の凸条１３に一定間隔で固定され、目地幅に屋外側から挿入可能であることを条件に当該縦目地よりも広くひろがって外壁パネル３の屋内側面に引っ掛かる係止部１４と、凸条１３を嵌め込む嵌着部１５と、係止部１４及び嵌着部１５を連結する連結部１６とから構成されている。このような１次防水部材１０は、本体１１の凸条１３に所定間隔で外れ防止部材１２を固定した状態で、縦目地に圧入されることにより縦目地に固定される。
【００２６】
外壁目地の２次防水部材１は、図１及び図３に示すように、縦目地の屋内側に収納される防水部材である。この外壁目地の２次防水部材１は、長尺の帯状に形成されたフィルム状のシート体１７と、該シート体１７の両側縁に沿ってそれぞれ形成される一対の補強部材１８と、外壁目地の２次防水部材１が縦目地の屋内側に収納されたときに屋内側に膨らむ円弧形状を有し、シート体１７の両側縁の補強部材１８と固定されることで当該シート体１７をその開口方向に弛んだ状態で位置させる複数の支持部材１９と、により構成される。
【００２７】
前記シート体１７は、例えばポリプロピレンのような軟質樹脂により形成されており、透明であり、やわらかく、容易に変形させることができる柔軟性、及び水の透過を防止できる防水性を有すると共に、長さが例えば外壁パネル３の高さとほぼ等しく、幅が支持部材１９の開口幅より広く形成されている。前記補強部材１８は、例えばアクリル、ポリカーボネイト等の樹脂により形成され、シート体１７より硬質であり、長さが例えばシート体１７とほぼ等しく、幅が例えば数ｍｍ程度である。なお、補強部材１８を形成する材料については、防水性の有無を問わない。また、シート体１７と補強部材１８との接続は、例えば補強部材１８をシート体１７の側縁より当該シート体１７に巻き込んだ状態で接着することにより行ってよい。
【００２８】
前記支持部材１９は、シート体１７より硬質な弾性体、例えばアクリル、ポリカーボネイト等の樹脂又はステンレス等の金属により形成されており、所定間隔毎に配設されている。支持部材１９は、図９に示すように、縦目地の屋内側に収納した際に、外壁パネル取付用金具５と同じ高さに配設されないように間隔が調整されている。また、支持部材１９は、縦目地の屋内側に収納した際の高さが例えば３０ｍｍ程度であり、開口幅が縦目地の目地幅より広く、例えば縦目地の目地幅が１１ｍｍ程度であるときに３０ｍｍ程度である。また、縦目地の屋内側に収納した際の支持部材１９の奥行きは、図１に示すように、その円弧状に膨らんだ部分が軸組４の窪みに嵌り込み、屋外側に開口したときに、支持部材１９の補強部材１８が取付けられた部分より先端部分である一端２０及び他端２１が、外壁パネル３の屋内面２２に当接する程度であり、例えば１８ｍｍ程度である。さらに、一端２０及び他端２１は、外壁目地の２次防水部材１を縦目地の屋内側に挿入する際に外壁パネル３等に当該支持部材１９が引っ掛ることを防止するために、丸みを帯びてシート体１７側へ折り返されている。
【００２９】
以上のように構成される外壁目地の２次防水部材１、及び外壁目地の２重防水構造２を施工する際には、図４に示すように、外壁パネル３を建物の軸組４に固定する。具体的には、軸組４に外壁パネル取付用金具５を取り付け、外壁パネル３の金属枠６の屋内側面を軸組４に当接させる。そして、外壁パネル取付用金具５の操作部９を操作してパネル固定部８を回転させ、このパネル固定部８を金属枠６の屋外側面に当接させ、このパネル固定部８と軸組４とで金属枠６を挟持して固定する。これにより、図５に示すように、２枚の外壁パネル３の縁の間に縦目地が形成される。
【００３０】
次に、図６に示すように、外壁パネル取付用金具５の配置されている高さ位置と異なる位置において、外壁目地の２次防水部材１の支持部材１９の一端２０側から縦目地に挿入する。その後、図７に示すように、支持部材１９を縦目地への挿入方向に回転させて当該支持部材１９の他端２１まで挿入する。
【００３１】
次に、図７の状態で、支持部材１９の他端２１を図外のドライバ等の工具で縦目地の屋内側に押し込む。これにより、図８に示すように支持部材１９は変形し、その弾性反発力により、図９に示すように円弧状に膨らんだ部分が軸組４の窪みに嵌り込み、屋外側に開口する。このことにより、外壁目地の２次防水部材１は縦目地を屋内側から覆うように配置される。この際、支持部材１９の一端２０及び他端２１は、丸みを帯びてシート体１７側に折り返されているので外壁パネル３等に引っ掛らず、よって、外壁目地の２次防水部材１はスムーズに上記位置に配置される。
【００３２】
また、この状態にて、図１０に示すように、シート体１７の両側縁に形成された補強部材１８の一方が縦目地に面する外壁パネル３のうち一方の屋内面２２の縁、他方が前記外壁パネル３のうち他方の屋内面２２の縁に夫々近接して配置され、シート体１７が縦目地を屋内側から覆うので、縦目地から侵入した水が屋内側にさらに侵入することを十分に抑制できる。また、シート体１７は透明であるので、外壁目地の２次防水部材１を縦目地の屋内側に収納した後においても、屋外側から外壁パネル取付用金具５を視認することができる。
【００３３】
そして、次に１次防水部材１０の外れ防止部材１２の嵌着部１５に本体１１の凸条１３を嵌め込む。このとき、外れ防止部材１２の位置が外壁パネル取付用金具５の位置からずれるように配置する。そして、図１０に示すように、１次防水部材１０を縦目地に圧入して、外れ防止部材１２が縦目地の奥まで挿入されるようにする。図１０に示すように、外壁パネル取付用金具５が設置されている高さ位置には、外れ防止部材１２が配置されておらず、図１に示すように外れ防止部材１２が配置されている高さ位置には、外壁パネル取付用金具５が設置されていないので、お互いの部材が干渉しあって１次防水部材１０が上手く縦目地に挿入されないといった不具合を防止することができる。
【００３４】
以上のように、外壁目地の２次防水部材１は、縦目地の屋外側より支持部材１９の一端２０側から挿入し、その後支持部材１９を縦目地への挿入方向に回転させて当該支持部材１９の他端２１まで挿入し、次に支持部材１９の他端２１を縦目地の屋内側に押し込むという簡便な作業にて、支持部材１９の弾性反発力により、当該支持部材１９を屋外側に開口させて縦目地を屋内側から覆うことができる。従って、外壁目地の２次防水部材１は、作業性良く２次防水を行うことができる。
【００３５】
また、外壁目地の２次防水部材１は、建物の下地材や外壁パネル取付用金具５が配置される位置に、柔軟性を有すると共に弛んだ状態で支持部材１９に支持されているシート体１７を配置して、これを柔軟に変形させ、また、当該位置に支持部材１９が配置されないので、建物の下地材や外壁パネル取付用金具５との干渉を確実に抑えることができる。
【００３６】
なお、本発明の実施の形態は上述の形態に限ることなく、本発明の思想の範囲を逸脱しない範囲で適宜変更することができることは云うまでもない。
【産業上の利用可能性】
【００３７】
本発明に係る外壁目地の２次防水部材１、外壁目地の２重防水構造２、及び外壁目地の２重防水構造施工方法を用いると、外壁の縦目地をより確実に防水することができる外壁目地の２次防水部材１、外壁目地の２重防水構造２、及び外壁目地の２重防水構造施工方法として好適に用いることができる。
【符号の説明】
【００３８】
１  外壁目地の２次防水部材
２  外壁目地の２重防水構造
３  外壁パネル
１０  １次防水部材
１７  シート体
１８  補強部材
１９  支持部材
【図１】
2011174322.tif 000003
【図２】
2011174322.tif 000004
【図３】
2011174322.tif 000005
【図４】
2011174322.tif 000006
【図５】
2011174322.tif 000007
【図６】
2011174322.tif 000008
【図７】
2011174322.tif 000009
【図８】
2011174322.tif 000010
【図９】
2011174322.tif 000011
【図１０】
2011174322.tif 000012
【図１１】
2011174322.tif 000013